(57)【要約】【課題】本発明の課題は、従来よりも安全にかつ簡単に据付け作業を行うことができる天井埋込型空気調和機を提供することにある。【解決手段】本発明の空気調和機は、室内機本体の電気部品箱１６から延出するリード線２７の先端に設けられる第１差込式コネクタ２６と、化粧パネルに配設される電気部品から延出するリード線２４の先端に設けられ、第１差込式コネクタ２６と電気的に接続する第２差込式コネクタ２２とを備え、第２差込式コネクタ２２に対する第１差込式コネクタ２６の接続端部２３が室内側に向くように第１差込式コネクタ２６が室内機本体に固定されていると共に、第１差込式コネクタ２６の接続端部２３は室内側に露出可能となっていることを特徴とする。【選択図】図４
2011232007.tif 000002
【特許請求の範囲】
【請求項１】
室内熱交換器と送風機と電気部品箱とを収納し、下面部が被空調室の室内側に臨むように天井に埋め込まれて配置される室内機本体と、
この室内機本体の下面部を覆うように室内側から取付けられる化粧パネルと、
を備える天井埋込型空気調和機において、
前記電気部品箱から延出する第１リード線の先端に設けられる第１差込式コネクタと、
前記化粧パネルに配設される電気部品から延出する第２リード線の先端に設けられ、前記第１差込式コネクタと電気的に接続する第２差込式コネクタと、
を更に備え、
前記第２差込式コネクタに対する前記第１差込式コネクタの接続端部が室内側に向くように前記第１差込式コネクタが前記室内機本体に固定されていると共に、前記第１差込式コネクタの前記接続端部は室内側に露出可能となっていることを特徴とする天井埋込型空気調和機。
【請求項２】
複数の前記第１差込式コネクタが取付け座を介して一纏めに固定されていることを特徴とする請求項１に記載の天井埋込型空気調和機。
【請求項３】
前記第１差込式コネクタは、前記室内機本体の前記電気部品箱に固定されていることを特徴とする請求項１に記載の天井埋込型空気調和機。
【請求項４】
前記化粧パネルには、前記電気部品箱に固定された前記第１差込式コネクタを室内側に臨ませる開口部が形成されていることを特徴とする請求項３に記載の天井埋込型空気調和機。
【請求項５】
前記第２リード線は、前記化粧パネルの室内機本体側で引き回され、前記第１差込式コネクタ及び前記第２差込式コネクタは、前記化粧パネルの前記開口部を介して室内側に臨むことを特徴とする請求項４に記載の天井埋込型空気調和機。
【請求項６】
前記化粧パネルの室内機本体側で引き回される配線のうち、前記開口部には、前記第２リード線のみが臨んでいることを特徴とする請求項５に記載の天井埋込型空気調和機。
【請求項７】
前記化粧パネルには、前記開口部を塞ぐ蓋体が着脱自在に取り付けられていることを特徴とする請求項４に記載の天井埋込型空気調和機。
【発明の詳細な説明】
【技術分野】
【０００１】
本発明は、天井埋込型空気調和機に関する。
【背景技術】
【０００２】
天井埋込型空気調和機の室内機は、天井裏に室内機本体が配置され、室内機本体の下面部が天井面で室内に臨み、室内機本体の下面部は化粧パネルによって覆われる。この空気調和機は、工場出荷時に室内機本体と化粧パネルとが別体になっているものを、据付け先で天井裏に配置した室内機本体の下面部に化粧パネルを組み付けて一体とする。
ところで、室内機本体には、室内熱交換器や送風機のほかに制御回路基板等を収納する電気部品箱が配置されている。また、化粧パネルには、風向調節板の駆動モータや、空気調和機の運転状況を表示する表示部、リモートコントローラの制御信号を受信する受信部等の電気部品が配置されている。したがって、室内機本体に化粧パネルを組み付ける際には、室内機本体の回路基板と化粧パネルの電気部品とを電気的に接続する必要がある。
従来、室内機本体の電気部品箱から延出するリード線と化粧パネルの電気部品から延出するリード線とをコネクタを介して電気的に接続する空気調和機が知られている（例えば、特許文献１参照）。
【先行技術文献】
【特許文献】
【０００３】
【特許文献１】特開２００４-２９３９７６号公報
【発明の概要】
【発明が解決しようとする課題】
【０００４】
しかしながら、従来の天井埋込型空気調和機（例えば、特許文献１参照）においては、据付け作業時に、室内機本体側から延出するリード線と化粧パネル側から延出するリード線とを接続しようとすると、作業者は天井近くの足場が不安定な高所で両手を使用してこれらのリード線の接続作業を行うこととなる。
したがって、作業者が片手で室内機本体側のリード線と化粧パネル側のリード線とを接続することができ、安全にかつ簡単に据付け作業を行うことができる天井埋込型空気調和機が望まれている。
【０００５】
そこで、本発明の課題は、従来よりも安全にかつ簡単に据付け作業を行うことができる天井埋込型空気調和機を提供することにある。
【課題を解決するための手段】
【０００６】
前記課題を解決する本発明の天井埋込型空気調和機は、室内熱交換器と送風機と電気部品箱とを収納し、下面部が被空調室の室内側に臨むように天井に埋め込まれて配置される室内機本体と、この室内機本体の下面部を覆うように室内側から取付けられる化粧パネルと、を備える天井埋込型空気調和機において、前記電気部品箱から延出する第１リード線の先端に設けられる第１差込式コネクタと、前記化粧パネルに配設される電気部品から延出する第２リード線の先端に設けられ、前記第１差込式コネクタと電気的に接続する第２差込式コネクタと、を更に備え、前記第２差込式コネクタに対する前記第１差込式コネクタの接続端部が室内側に向くように前記第１差込式コネクタが前記室内機本体に固定されていると共に、前記第１差込式コネクタの前記接続端部は室内側に露出可能となっていることを特徴とする。
【発明の効果】
【０００７】
本発明の天井埋込型空気調和機によれば、従来よりも安全にかつ簡単に据付け作業を行うことができる。
【図面の簡単な説明】
【０００８】
【図１】（ａ）は、天井埋込型空気調和機を下から見上げた様子を示す斜視図、（ｂ）は、室内機本体と化粧パネルとに分けた天井埋込型空気調和機の分解斜視図である。
【図２】図１（ａ）のII−II断面を模式的に示す断面図である。
【図３】化粧パネルの外枠部に対して吸込グリルを下方に回動させた様子を示す部分拡大斜視図である。
【図４】第１差込式コネクタが固定される電気部品箱の斜視図であり、電気部品箱の下部に配置される取付け座を斜め下方から見上げた様子を示す図である。
【図５】（ａ）及び（ｂ）は、電気部品箱内でリード線が制御回路基板に接続される態様を示す斜視図である。
【図６】複数の第１差込式コネクタが取付け座に一纏めに取り付けられた様子を示す斜視図である。
【図７】第１差込式コネクタの取付け座を電気部品箱に着脱自在に取り付ける様子を示す斜視図である。
【図８】図７のVIII方向から電気部品箱を見た図である。
【図９】図７の取付け座を取り付けた電気部品箱の変形例を示す斜視図である。
【発明を実施するための形態】
【０００９】
以下に、本発明の天井埋込型空気調和機（以下、単に「空気調和機」ということがある）の実施形態について適宜図面を参照しながら詳細に説明する。なお、以下の説明において前後左右上下の方向は、図１（ａ）及び（ｂ）に示す前後左右上下の方向を基準とする。
本発明の空気調和機は、詳しくは後記するように、室内機本体側から延出するリード線に取り付けられたコネクタの配置構造に主な特徴を有している。ここでは、まず空気調和機の全体構成について説明した後に、コネクタの配置構造について説明する。
【００１０】
（空気調和機の全体構成）
図１（ａ）及び（ｂ）に示すように、空気調和機Ａは、図示しない天井裏のスペースに吊りボルト等の締結具を介して固定される略直方体形状の室内機本体１と、この室内機本体１の下面部を覆うように被空調室の室内側（図１（ａ）及び（ｂ）の下側）から取り付けられる化粧パネル２とを備えている。本実施形態での化粧パネル２は、図１（ｂ）に示すように、室内機本体１にネジ１９で固定されている。
【００１１】
室内機本体１は、図２に示すように、略直方体形状の筐体２９の内部に、室内熱交換器１０と、貫流ファン９（送風機）とを収納すると共に、図１（ｂ）に示すように、電気部品箱１６を収納している。
【００１２】
図２に示す室内機本体１の室内熱交換器１０は、屋外に配置される図示しない室外機の減圧器、室外熱交換器、及び圧縮機と所定の配管で繋がれて、冷媒が循環する環状の回路（ヒートポンプ）を構成している。
【００１３】
図２に示す貫流ファン９は、駆動することで後記する吸込グリル２ａを介して吸い込んだ被空調室の空気を、後記する吐出口１３，１３から室内に吐出するように構成されている。
【００１４】
図１（ｂ）に示す電気部品箱１６は、室内機本体１内に収容される全ての電気部品を制御する制御回路基板（図示省略）を収納している。図１（ｂ）中、符号２８は後記する複数の第１差込式コネクタ２６（図４参照）を一纏めに固定する取付け座である。
【００１５】
化粧パネル２は、図２に示すように、この室内機本体１の下面部を覆うことで、天井面１４に開口した開口１５を塞いでいる。
この化粧パネル２は、図１（ａ）に示すように、平面視で長方形状を呈しており、化粧パネル２の略中央に配置される平面視で長方形の吸込グリル２ａと、この吸込グリル２ａを囲むように配置される外枠部２ｂとを備えている。
【００１６】
吸込グリル２ａは、室内機本体１内に室内の空気を取り入れるためのものであり、図２に示すように、吸込グリル２ａには、吸い込んだ空気中のゴミをろ過するフィルタ４が配置されている。このフィルタ４は、吸込グリル２ａに形成されたフランジ部１１で支持されている。
【００１７】
外枠部２ｂには、図１（ａ）に示すように、空気調和機Ａの運転状況を表示する表示部５ａや、リモートコントローラ（図示省略）の制御信号を受信する受信部５ｂが設けられている。
【００１８】
また、外枠部２ｂには、吸込グリル２ａの長手側の両側に沿って延びるように、スリット状の吐出口１３，１３が形成されている。この吐出口１３，１３は、室内機本体１が吸込グリル２ａを介して室内から吸い込んだ空気を、再び室内に吐出するものである。
そして、この吐出口１３，１３のそれぞれには、空気の吐出方向を変えるための風向板６，６が配置されている。この風向板６，６は、図２に示すように、風向板６，６に取り付けられたモータ１７が風向板６，６の角度を変化させることで空気の吐出方向を変えるようになっている。
【００１９】
また、外枠部２ｂは、図３に示すように、吸込グリル２ａの短手側の片辺を図示しないヒンジで支持しており、このヒンジ周りに吸込グリル２ａは回動可能となっている。また、外枠部２ｂと吸込グリル２ａとの間には、回動した吸込グリル２ａを所定の回動角度で支持するダンパ２１，２１が設けられている。また、外枠部２ｂの前記したヒンジ（図示省略）は、着脱自在に吸込グリル２ａを支持するように構成することで、吸込グリル２ａは外枠部２ｂから取り外し可能とすることもできる。
【００２０】
図３中、符号１８は、図１（ｂ）に示す電気部品箱１６の取付け座２８を室内側に露出させるための開口部であり、特許請求の範囲にいう「開口部」に相当する。符号２０は、化粧パネル２に着脱自在に取り付けられ、開口部１８を塞ぐ蓋体であり、特許請求の範囲にいう「蓋体」に相当する。
なお、蓋体２０は、詳しくは後記するように、化粧パネル２から取り外すことで、開口部１８を介して、図１（ｂ）に示す取付け座２８に固定された第１差込式コネクタ２６（図４参照）の接続端部２３（図４参照）を室内側に露出可能としている。
【００２１】
以上のような本実施形態に係る空気調和機Ａによれば、図２に示すように、貫流ファン９，９が駆動した際に、被空調室内の空気は吸込グリル２ａのフィルタ４を介して室内機本体１の内部に吸い込まれると共に、室内熱交換器１０を通過した後に化粧パネル２の吐出口１３から室内に吐出される。そして、暖房運転時の空気調和機Ａを例にとれば、室内熱交換器１０は、前記した室外機の圧縮機（図示省略）から送り込まれた高温高圧の冷媒（ホットガス）によって室内機本体１内に吸い込んだ空気を温める。その結果、吐出口１３からは温風が吐出されることとなる。
【００２２】
（コネクタの配置構造）
次に、電気部品箱１６（図１（ｂ）参照）から延出するリード線に取り付けられたコネクタ（第１差込式コネクタ）の配置構造について説明する。図４は、第１差込式コネクタが固定される電気部品箱の斜視図であり、電気部品箱の下部に配置される取付け座を斜め下方から見上げた様子を示す図である。図５（ａ）及び（ｂ）は、電気部品箱内でリード線が制御回路基板に接続される態様を示す斜視図である。図６は、複数の第１差込式コネクタが取付け座に一纏めに取り付けられた様子を示す斜視図である。
【００２３】
図４に示すように、電気部品箱１６は、その外形が直方体形状の箱体であって、室内機本体１（図１（ｂ）参照）の筐体２９の側壁内側に、サポート部材３０，３０を介して取り付けられている。本実施形態では、図１（ｂ）に示すように、筐体２９の４つの側壁のうち、短手の側壁の一つ（左側の側壁）に取り付けられて、開口部１８（図３参照）に取付け座２８が臨むようになっている。ちなみに、図４中、電気部品箱１６の筐体２９に固定される側と反対側（図４の紙面の手前側）には、図示しない隔壁を介して室内機本体１（図１（ｂ）参照）における空気の流通路が形成されることとなる。
【００２４】
このような電気部品箱１６は、前記したように、室内機本体１（図１（ｂ）参照）内に収容される全ての電気部品を制御する次の制御回路基板３７（図５（ａ）及び（ｂ）参照）を収納している。
図５（ａ）及び（ｂ）に示すように、この制御回路基板３７には、リード線２７が接続される。このリード線２７は、特許請求の範囲にいう「第１リード線」に相当する。
なお、図５（ａ）及び（ｂ）に示す制御回路基板３７は、作図の便宜上、リード線２７が接続される箇所の一部分のみを示すものであり、電気部品箱１６に収容される制御回路基板３７の全体を示すものではない。
【００２５】
図５（ａ）に示すリード線２７と制御回路基板３７との接続は、リード線２７に設けたハウジングコネクタ３５と、制御回路基板３７上に設けたポストコネクタ３６とを接続させることにより行うものである。また、図５（ｂ）に示すリード線２７と制御回路基板３７との接続は、リード線２７の端部を制御回路基板３７の銅箔パターン（図示省略）に対して金属かしめ材３８を介して接続したものである。
なお、リード線２７と制御回路基板３７との接続は、これに限定されず、公知の様々な接続手法を採用することができる。
【００２６】
そして、制御回路基板３７と接続したリード線２７の束は、図４に示すように、電気部品箱１６の下部の前後両端の２箇所からそれぞれ外側に延出して電気部品箱１６の下面に沿うように配置される。
このリード線２７の束は、図６に示すように、それぞれ３つの組、合計６つに分けられてそれぞれの先端に第１差込式コネクタ２６が接続される。なお、図６は、図４とは天地が逆の関係にあり、図４では第１差込式コネクタ２６は下を向いているが、図６では作図上、上を向くように表現している。
【００２７】
第１差込式コネクタ２６は、電極ピン（図示省略）を有する雄型コネクタであり、本実施形態では、６つの第１差込式コネクタ２６が板状の取付け座２８の面上でその接続端部２３が一列に並ぶように配置されて固定されている。
このような第１差込式コネクタ２６が固定された取付け座２８は、図４に示すように、電気部品箱１６の下面に、スペーサ３１を介して固定されている。このスペーサ３１は、Ｌ字状に屈曲した板体で形成されており、電気部品箱１６の下面と取付け座２８との間に、リード線２７の束を配置するスペースを確保している。
【００２８】
このように取付け座２８を介して一纏めに電気部品箱１６に固定された第１差込式コネクタ２６は、次に説明する第２差込式コネクタ２２との接続端部２３が室内側、つまり、図４に示す下側に向くように室内機本体１に固定されることとなる。
【００２９】
図４に示す第２差込式コネクタ２２は、第１差込式コネクタ２６と接続し合う雌型のコネクタである。本実施形態での第２差込式コネクタ２２は、第１差込式コネクタ２６と対応するように６つ有しているが、図４では他の５つの第２差込式コネクタ２２の記載を省略している。この第２差込式コネクタ２２は、リード線２４を介して化粧パネル２（図１（ａ）参照）の電気部品、具体的には、表示部５ａ（図１（ａ）参照）、受信部５ｂ（図１（ａ）参照）、風向板６のモータ１７（図２参照）等と電気的に接続されている。
なお、リード線２４は、特許請求の範囲にいう「第２リード線」に相当する。
【００３０】
このリード線２４は、図１（ｂ）中に図示しないが、図１（ｂ）に示す化粧パネル２の室内機本体１側で引き回される。そして、図４に示す第１差込式コネクタ２６及び第２差込式コネクタ２２は、図３に示す蓋体２０を化粧パネル２から取り外した際に、開口部１８を介して室内側に臨むこととなる。
【００３１】
また、この際、開口部１８には、リード線２４のみが臨んでいることが望ましい。ちなみに、図１（ｂ）に示す化粧パネル２の室内機本体１側で引き回される配線としては、リード線２４のほか、前記した第１リード線としてのリード線２７や、貫流ファン９（図２参照）のコード、温度センサ及び湿度センサ（図示省略）のコード、ドレンポンプ（図示省略）のコード、商業電源コード等が挙げられる。
【００３２】
リード線２４は、化粧パネル２の一つの電気部品に対して一つの第２差込式コネクタ２２が対応するように割り振られることが望ましい。このように第２差込式コネクタ２２を割り振ることで、化粧パネル２の一つの電気部品が故障した場合に、割り振られた第２差込式コネクタ２２及びこれに接続されるリード線２４と一緒に当該電気部品を交換することができる。
【００３３】
また、図３に示す開口部１８を塞ぐ蓋体２０は、室内側に対向する面、つまり作業者の目に付きやすいところに、複数の第１差込式コネクタ２６と、これに各々接続される第２差込式コネクタ２２との対応関係（接続手順）を説明する説明書が付されているものが望ましい。
【００３４】
次に、本実施形態に係る空気調和機Ａの作用効果について説明する。
この空気調和機Ａにおいては、図１（ｂ）に示す室内機本体１を天井裏に配置し、これに化粧パネル２を取り付ける据付け作業時に、図３に示すように、吸込グリル２ａを下方に回動させることで、蓋体２０は室内側に臨むこととなる。
【００３５】
そして、蓋体２０を化粧パネル２から取り外すことで、取付け座２８に一纏めに固定され、接続端部が室内側（作業者側）に向いている複数の第１差込式コネクタ２６と、リード線２４に取り付けられた第２差込式コネクタ２２とは、開口部１８を介して室内側に臨むこととなる。つまり、この空気調和機Ａによれば、室内機本体１から化粧パネル２全体を取り外さなくても、作業者は室内側から第１差込式コネクタ２６と第２差込式コネクタ２２に臨むことができる。
【００３６】
また、この空気調和機Ａによれば、第１差込式コネクタ２６が室内機本体１（電気部品箱１６）側に固定されているので、作業者は、片手で第２差込式コネクタ２２を持ち、これを第１差込式コネクタ２６に差し込むことができる。したがって、この空気調和機Ａによれば、従来の空気調和機（例えば、特許文献１参照）と異なって、両手を使わなくても簡単に室内機本体１の電気部品箱１６に収容された制御回路基板３７と化粧パネル２の電気部品とを電気的に接続することができ、従来よりも安全にかつ簡単に据付け作業を行うことができる。
【００３７】
また、この空気調和機Ａによれば、第１差込式コネクタ２６は、電気部品箱１６に固定されているので、電気部品箱１６に収容された制御回路基板３７と第１差込式コネクタ２６とを繋ぐこととなるリード線２７の長さを短くすることができる。
【００３８】
また、この空気調和機Ａによれば、第１差込式コネクタ２６及び第２差込式コネクタ２２を、化粧パネル２の開口部１８を介して室内側に臨ませるので、露出する配線部分を開口部１８に限定することができ美観を保つことができる。そして、この開口部１８に蓋体２０を配置することで、美観を向上させることができる。
【００３９】
また、この空気調和機Ａによれば、化粧パネル２の室内機本体１側で引き回される配線のうち、開口部１８には、リード線２７のみが臨んでいるので、他の配線が絡み合うことが無く、第１差込式コネクタ２６と第２差込式コネクタ２２とを、より簡単に接続することができる。
【００４０】
以上、本発明の実施形態について説明したが、本発明は前記実施形態に限定されず、種々の形態で実施することができる。以下に説明する他の実施形態においては、前記実施形態と同様の構成要素については同一の符号を付してその詳細な説明を省略する。
前記実施形態では、第１差込式コネクタ２６の取付け座２８を電気部品箱１６に固定することを想定しているが、本発明は第１差込式コネクタ２６の取付け座２８を電気部品箱１６に着脱自在に取り付けることができる。
【００４１】
次に参照する図７は、第１差込式コネクタの取付け座を電気部品箱に着脱自在に取り付ける様子を示す斜視図である。図８は、図７のVIII方向から電気部品箱を見た図である。但し、図８中、リード線は省略している。図９は、図７の取付け座を取り付けた電気部品箱の変形例を示す斜視図である。
【００４２】
図７に示すように、この他の実施形態での取付け座２８は、第１差込式コネクタ２６を３つずつ前後に振り分けて配置している。
そして、取付け座２８の中央部には、電気部品箱１６の下面に形成された開口３３を封止する封止部４２が開口３３側に凸となるようにプレス加工で形成されている。
図７中、符号２３は第１差込式コネクタ２６の接続端部であり、符号２７はリード線であり、符号３１はスペーサである。
【００４３】
開口３３には、図８に示すように、電気部品箱１６内に配置されたスイッチ３４が臨んでいる。このスイッチ３４は、作業者が据付け作業時に空気調和機Ａ（図１（ａ）参照）の動作確認（例えば、ドレンポンプの動作確認等）を行うためのものである。
【００４４】
このような空気調和機Ａによれば、図３に示す化粧パネル２の開口部１８を介して動作確認のスイッチ３４（図８参照）を操作することができるので据付け作業を、より容易に行うことができる。
また、図７に示すように、電気部品箱１６に取付け座２８と取り付けると、開口３３は、開口３３側に凸となる取付け座２８の封止部４２で密封性よく封じることができる。
【００４５】
また、図７に示す取付け座２８においては、次に説明するように、封止部４２に対応する部分を切り欠いて開口を形成することができる。
図９に示すように、取付け座２８には、図７の封止部４２に対応する部分が切り欠かれて開口４４が形成されている。そして、取付け座２８には、開口４４を塞ぐ蓋体４５がネジ１９で取り付けられるようになっている。
図９中、符号１６は電気部品箱であり、符号２６は第１差込式コネクタであり、符号２３は第１差込式コネクタ２６の接続端部であり、符号２７はリード線であり、符号３１はスペーサである。
【００４６】
この電気部品箱１６を備えた空気調和機Ａによれば、蓋体４５を取付け座２８から取り外すことで、図７の電気部品箱１６を備えた空気調和機Ａと異なって、取付け座２８を電気部品箱１６から取り外さなくても開口４４及び開口３３を介して、作業者はスイッチ３４（図８参照）を操作することができる。
【符号の説明】
【００４７】
１      室内機本体
２      化粧パネル
２ａ    吸込グリル
２ｂ    外枠部
９      貫流ファン（送風機）
１０    室内熱交換器
１６    電気部品箱
１８    開口部
２０    蓋体
２２    第２差込式コネクタ
２３    接続端部
２４    リード線（第２リード線）
２６    第１差込式コネクタ
２７    リード線（第１リード線）
２８    取付け座
Ａ      空気調和機
【図１】
2011232007.tif 000003
【図２】
2011232007.tif 000004
【図３】
2011232007.tif 000005
【図４】
2011232007.tif 000006
【図５】
2011232007.tif 000007
【図６】
2011232007.tif 000008
【図７】
2011232007.tif 000009
【図８】
2011232007.tif 000010
【図９】
2011232007.tif 000011